(57)【要約】【課題】挿入部の硬度調整を迅速に行うと共に、挿入時の硬度を一律かつ確実に設定することが可能となり、内視鏡に対する処置具の挿入がスムーズになるようにする。【解決手段】軸体１６の外周に、軸方向に移動するように操作滑動部１８が取り付けられた処置具１４において、上記操作滑動部１８の前側に回転操作部材２６を回動可能に配置すると共に、係止機構として、この回転操作部材２６の外周に突起２７を形成し、上記操作滑動部１８の前面には突起２７の軸方向の移動をフリーにする通過穴２８を形成する。上記回転操作部材２６の回動操作で、上記突起１７を通過穴２８から外れた位置に配置することで、操作滑動部１８の前側の移動を規制し、挿入部の硬度を挿入に最適な硬さに設定する。【選択図】図１
2009261609.tif 000002
【特許請求の範囲】
【請求項１】
軸状本体の外周に、該本体の軸方向に移動するように操作滑動部が取り付けられた内視鏡用処置具において、
上記本体の軸中心に回動可能に配置され、上記操作滑動部の移動を規制するための回転操作部材と、
この回転操作部材、及び上記本体周方向で固定状態となる固定部に対して配置され、これら回転操作部材及び固定部の一方の外周に本体軸垂直方向に突出する突起、他方にこの突起の軸方向の移動をフリーにする通過穴を形成してなる係止機構とを設け、
上記回転操作部材の回動操作で、上記係止機構の突起を通過穴から外れた位置に配置することにより、上記操作滑動部の移動を所定の位置で規制することを特徴とする内視鏡用処置具。
【請求項２】
上記回転操作部材を上記操作滑動部の前側に配置し、
上記係止機構として、上記回転操作部材の後面側外周に本体軸垂直方向に突出する突起を設けると共に、上記操作滑動部の前面に上記突起の軸方向の移動をフリーにする通過穴を形成したことを特徴とする請求項１記載の内視鏡用処置具。
【請求項３】
軸状本体の外周に、該本体の軸方向に移動するように操作滑動部が取り付けられた内視鏡用処置具において、
上記本体の軸中心に回動可能に配置され、上記操作滑動部の移動を規制するための回転操作部材と、
この回転操作部材、及び上記本体周方向で固定状態となる固定部の両方の対向面に、それらの対向面が所定の間隔を維持する規制解除状態、及びこの規制解除状態から該回転操作部材を回転させたとき、一方の対向面が他方の対向面に当接した規制状態となる形状の凹凸面を形成してなる係止機構とを設け、
上記回転操作部材の回動操作で、上記係止機構の両対向面の凸部同士を当接配置することにより、上記操作滑動部の移動を所定の位置で規制することを特徴とする内視鏡用処置具。
【請求項４】
上記回転操作部材を上記操作滑動部の前側に配置したことを特徴とする請求項３記載の内視鏡処置具。
【発明の詳細な説明】
【技術分野】
【０００１】
本発明は内視鏡用処置具、特に内視鏡の処置具挿通チャンネルを介して被観察体内へ導びかれ、本体に対し操作部を動かすことで、切除物、異物等を掴む鉗子のような処置具の構造に関する。
【背景技術】
【０００２】
従来から、内視鏡装置では、生検鉗子等の処置具が使用されており、この処置具（鉗子）は、内視鏡（操作部）に設けられた鉗子口から処置具挿通チャンネルを介して被観察体内へ導かれ、処置具操作部の前後方向（軸方向）の操作によって、先端把持部を開閉操作することで、切除物、異物等を掴み、被観察体外へ取り出すことが行われる。このような処置具は、操作部によりその開閉する先端把持部を閉じた状態で、処置具挿通チャンネル内へ挿入することになるが、挿入部が密着（コイル）バネ内にワイヤを通す構造となっているため、操作部を強く操作すると、密着バネが強く密着した状態となって挿入部が硬くなり、挿入し難くなるという問題がある。そのため、下記特許文献に示されるように、処置具挿入部の硬度を調整するものが提案されている。
【０００３】
図６（Ａ）には、従来の内視鏡用処置具の１例（下記特許文献１）の構成が示されており、鉗子としての処置具１には、図示されるように、指掛け部２を有する軸体３に、操作滑動部４が前後移動するように設けられ、この操作滑動部４に、先端部の処置機能部を開閉するための操作ワイヤ５が接続される。そして、上記軸体３の外周に、ネジ溝６が形成されると共に、このネジ溝６に固定部材となるナット７が配置されている。このような構成によれば、ナット７を回転させ、所定の位置で操作滑動部４に当接することで、この操作滑動部４の移動を阻止することができ、これによって、処置具の挿入部の硬度が調整できるようになっている。
【０００４】
図６（Ｂ）には、従来の内視鏡用処置具の他の例（下記特許文献２）の構成が示されており、この処置具９は、図示されるように、軸体３の外周上をスライド自在となるストッパ１０が設けられ、このストッパ１０に、固定用の手動ネジ１１が取り付けられる。このような構成によれば、スライドさせたストッパ１０を操作滑動部（第２の指掛け部）４に当接させ、その位置で手動ネジ１１を用いて固定することにより、この操作滑動部４の移動を規制することができる。
【特許文献１】特開２００４−３３５２５号公報
【特許文献２】特開平１１−３３２８７０号公報
【特許文献３】特開２００５−３５２号公報
【発明の開示】
【発明が解決しようとする課題】
【０００５】
しかしながら、上記図６（Ａ）の処置具１では、挿入部の硬度を調整するナット７を複数回、回転させる必要があり、硬度調整を迅速に行うことができない。しかも、操作者が挿入部の硬度を把握し、最適な調整位置を設定することが難しく、調整した硬度が高くなり過ぎた場合は、処置具１の挿入がスムーズに行われず、またこの処置具１によって処置具挿通チャンネルの内壁を傷つけてしまう恐れがある。
【０００６】
また、上記図６（Ｂ）の処置具９でも、挿入部の硬度を把握し、最適な調整位置を設定することが難しく、調整した硬度が高くなり過ぎた場合は、上記図６（Ａ）の処置具１と同様に、処置具９がスムーズに挿入されず、内視鏡処置具挿通チャンネルの内壁を傷つけてしまうことも生じる。
【０００７】
更に、従来では、上記特許文献３に示されるように、処置具の先端鉗子片（先端把持部）が閉じているときのその先端鉗子片を覆うように、シリコンゴム等の弾力性のある蓋体を設け、この先端鉗子片は、蓋体を押し退けながら先端開口から突没するようにしたものが提案されている。しかし、この場合は、処置具先端部に弾力性の蓋体を付加する構造となることから、この蓋体が処置中に被観察体内に脱落する恐れがある。
【０００８】
本発明は上記問題点に鑑みてなされたものであり、その目的は、挿入部の硬度調整を迅速に行うと共に挿入時の硬度を一律かつ確実に設定することが可能となり、また先端部に蓋体等を付加することなく、内視鏡に対する処置具の挿入をスムーズに行うことができる内視鏡用処置具を提供することにある。
【課題を解決するための手段】
【０００９】
上記目的を達成するために、請求項１に係る発明は、軸状本体の外周に、該本体の軸方向に移動するように操作滑動部が取り付けられた内視鏡用処置具において、上記本体の軸中心に回動可能に配置され、上記操作滑動部の移動を規制するための回転操作部材と、この回転操作部材、及び上記本体周方向で固定状態となる固定部に対して配置され、これら回転操作部材及び固定部の一方の外周に本体軸垂直方向に突出する突起、他方にこの突起の軸方向の移動をフリーにする通過穴を形成してなる係止機構とを設け、上記回転操作部材の回動操作で、上記係止機構の突起を通過穴から外れた位置に配置することにより、上記操作滑動部の移動を所定の位置で規制することを特徴とする。
請求項２に係る発明は、上記回転操作部材を上記操作滑動部の前側に配置し、上記係止機構として、上記回転操作部材の後面側外周に本体軸垂直方向に突出する突起を設けると共に、上記操作滑動部の前面に上記突起の軸方向の移動をフリーにする通過穴を形成したことを特徴とする。
請求項３に係る発明は、軸状本体の外周に、該本体の軸方向に移動するように操作滑動部が取り付けられた内視鏡用処置具において、上記本体の軸中心に回動可能に配置され、上記操作滑動部の移動を規制するための回転操作部材と、この回転操作部材、及び上記本体周方向で固定状態となる固定部の両方の対向面に、それらの対向面が所定の間隔を維持する規制解除状態、及びこの規制解除状態から該回転操作部材を回転させたとき、一方の対向面が他方の対向面に当接した規制状態となる形状の凹凸面を形成してなる係止機構とを設け、上記回転操作部材の回動操作で、上記係止機構の両対向面の凸部同士を当接配置することにより、上記操作滑動部の移動を所定の位置で規制することを特徴とする。
請求項４に係る発明は、上記回転操作部材を上記操作滑動部の前側に配置したことを特徴とする。
【００１０】
上記請求項１及び２の構成によれば、回転操作部材が通常の規制解除位置にあるとき、例えば回転操作部材の外周に形成された突起が操作滑動部の前面に形成された通過穴を通過できる状態となるので、操作滑動部を軸方向へ移動させることができ、この操作滑動部の操作によって、先端把持部を開閉することが可能となる。一方、回転操作部材を規制（係止）位置に例えば９０度以内の僅かな角度だけ回動させると、回転操作部材の突起が操作滑動部の前面に当接して通過穴を通過できない状態となり、これによって、操作滑動部が前側へ移動できない位置、即ち挿入部が挿入に最適な硬度となる位置に規制（係止）される。
【００１１】
上記請求項３及び４の構成によれば、例えば操作滑動部の前面に、軸方向へ突出する凸部が設けられ、他方の回転操作部材の後面にも同様の凸部が設けられており、回転操作部材が通常の規制解除位置にあるとき、凸部を含む操作滑動部の前面と回転操作部材の後面が所定の間隔を維持する状態となるので、操作滑動部の軸方向の操作によって、先端把持部を開閉することが可能となる。一方、回転操作部材を規制位置に回転させると、両方の凸部が当接する状態となり、これによって、操作滑動部が前側へ移動できない位置、即ち挿入部が挿入に最適な硬度となる位置に規制（係止）される。
【発明の効果】
【００１２】
本発明の内視鏡用処置具によれば、回転操作部材の僅かな回動操作によって、挿入部の硬度調整を迅速に行うことができ、また係止機構によって挿入部の硬度を一律かつ確実に設定することが可能となる。しかも、処置時に脱落の可能性のある（挿入時の先端把持部を覆う）蓋体等を先端部に付加する必要もなく、内視鏡に対する処置具の挿入をスムーズに行うことができるという効果がある。
【発明を実施するための最良の形態】
【００１３】
図１乃至図３には、第１実施例に係る内視鏡用処置具（生検鉗子）の構成が示されており、図１又は図３に示されるように、処置具１４は、指掛け部１５を有する軸体（本体）１６に、操作滑動部１８が軸方向で前後移動するように設けられる。即ち、上記軸体１６は、その側面において径方向に貫通し、軸方向に長いガイド孔１９を有する円柱体からなり、このガイド孔１９に案内されるように操作滑動部１８が取り付けられることで、操作滑動部１８は軸方向へスライド可能となる。この操作滑動部１８の中心軸部（ガイド孔配置部分）１８ａに、操作ワイヤ２０が取り付けられ、この操作ワイヤ２０は、金属線を螺旋状に巻回してなる密着（コイル）バネ２２内に配置されて、先端把持部２４に接続される。
【００１４】
そして、上記軸体１６の外周において、操作滑動部１８の前側に、この操作滑動部１８の移動を規制するための筒状の回転操作部材２６が軸中心に回動可能に配置される。例えば、軸体１６の外周に形成した環状凸部（レール部）１６ａと、筒状回転操作部材２６の内周に形成した環状係合溝２６ａとを係合させることで、回転操作部材２６は軸体１６上を回動することができ、図１（Ａ），図２（Ａ）に示される規制解除位置と図１（Ｂ），図２（Ｂ）に示される規制位置に配置される。
【００１５】
また、上記操作滑動部１８の移動規制のための係止機構として、上記回転操作部材２６の外周に、突起２７が形成されると共に、上記操作滑動部１８の前面に、該突起２７の軸方向の移動をフリーにする通過穴２８が形成される。即ち、操作滑動部１８の前面には、その操作時に、回転操作部材２６の外周を乗り越える状態で前側に移動できるように、操作に必要な移動量に対応する深さを持つ円環状の通過穴１８ｂが設けられており、この通過穴１８ｂの外側に、上記突起２７の通過穴２８が形成される。
【００１６】
従って、上記の通過穴２８の位置が操作滑動部１８の移動の規制解除位置となり、通過穴２８以外の位置が移動の規制位置となるが、第１実施例では、この規制位置を規制解除位置から９０度以内の回転角度、例えば４５度程度の回転角度を離して設定している。即ち、操作滑動部１８の側面に、上記通過穴２８の上側に、規制解除位置を示すマーク（例えば白抜き又は白塗りの逆三角形目印）Ｍ１を付し、かつこのマークＭ１から４５度程度離れた位置に、規制位置を示すマーク（例えば黒塗りの逆三角形目印）Ｍ２を付すと共に、軸体１６の外周と回転操作部材２６の内周における上記規制解除位置と規制位置に対応する２箇所に、例えば小さな半球状突起とこの小突起を係合させる半球状凹部の組合せからなる小係止部を設けることで、軸体１６上を回動する回転操作部材２６が規制解除位置と規制位置の２箇所で一時的に停止する軽い係止状態が得られるようにしている。
【００１７】
このような係止機構によれば、回転操作部材２６が規制解除位置にあるとき、図２（Ａ）又は図１（Ａ）に示されるように、突起２７が通過穴２８の位置に配置され、上記操作滑動部１８の前後移動が可能な状態となって、先端把持部２４を開閉することができる。一方、回転操作部材２６を規制位置に回動させたときには、図２（Ｂ），図１（Ｂ）又は図３に示されるように、突起２７が通過穴２８の位置から外れて操作滑動部１８の前面に当接され、上記操作滑動部１８の前への移動ができない状態となる。これによって、先端把持部２４を閉じた状態とし、操作ワイヤ２０を内包した密着バネ２２からなる挿入部を所期の硬さに設定することができる。
【００１８】
第１実施例は以上の構成からなり、この処置具１４は、指掛け部１５に親指、操作滑動部１８に人差し指と中指を配置して握るように操作し、この操作滑動部１８を後方へ移動させると、先端把持部２４が閉じ、反対に親指とその他の指を離すように操作し、操作滑動部１８を前方へ移動させると、先端把持部２４が開くようになる。
【００１９】
そして、処置具１４を内視鏡（処置具挿通チャンネル）内に挿入する際には、図１（Ｂ）に示されるように、操作滑動部１８を後方へ移動させ、回転操作部材２６（突起２７）を規制位置（Ｍ２）へ回動させると、図２（Ｂ），図３に示されるように、回転操作部材２６の突起２７が操作滑動部１８の前面に当接することになり、操作滑動部１８の前側への移動ができない状態となる。この状態で、先端把持部２４が閉じられているが、操作ワイヤ２０と密着バネ２２で構成される処置具挿入部の硬度が硬くなり過ぎない最適な硬さに設定されることになる。従って、内視鏡の処置具挿通チャンネル内に対し処置具１４をスムーズに挿入することができ、挿入時に、処置具挿通チャンネルの内壁が傷付けられることも防止される。
【００２０】
一方、処置具１４が被観察体内へ導かれた後には、上記の回転操作部材２６（突起２７）を規制解除位置（Ｍ１）に戻すことにより、図１（Ａ），図２（Ａ）に示されるように、回転操作部材２６の突起２７が操作滑動部１８の通過穴２８の位置に配置されるので、操作滑動部１８は前後に移動して先端把持部２４の開閉操作が可能な状態となる。
【００２１】
図４及び図５には、第２実施例の構成が示されており、この第２実施例は、第１実施例とは異なる係止機構を設けたものである。図４に示されるように、処置具２９では、操作滑動部３０の前面に、基準面３０ａを凹部としてこの面から傾斜面を介して凸部３０ｂが形成された凹凸面が設けられ、他方の回転操作部材３１には、上記操作滑動部３０の凹凸面に対して操作に必要な移動量に対応する間隔を維持する同様の形状で、凹部３１ａ、及び回動時に上記凸部３０ｂに当接する凸部３１ｂを有する凹凸面が設けられる。
【００２２】
そして、操作滑動部３０の外周に、第１実施例と同様に、規制解除位置を示すマークＭ１と、規制位置を示すマークＭ２が付され、他方の回転操作部材３１には、位置合わせのためのマーク（例えば黒塗りの逆三角形目印）Ｍ３が付されている。また、回転操作部材３１の内周と軸体１６の外周における上記規制解除位置と規制位置に対応する２箇所に、軽い係止状態が得られる小係止部が設けられる。
【００２３】
このような第２実施例によっても、処置具２９を内視鏡に挿入する際には、操作滑動部３０を後方へ移動させ、回転操作部材３１（Ｍ３）を規制位置（Ｍ２）へ回動させると、図４（Ｂ），図５に示されるように、回転操作部材３１の凸部３１ｂが操作滑動部３０の凸部３０ｂに当接し、操作滑動部３０の前側への移動ができない状態となる。この状態で、先端把持部２４が閉じられ、処置具挿入部の硬度が硬くなり過ぎない最適な硬さに設定されることになるので、内視鏡処置具挿通チャンネル内に対し処置具１４をスムーズに挿入することができる。
【００２４】
一方、処置具２９が被観察体内へ導かれた後には、上記の回転操作部材３１（Ｍ３）を規制解除位置（Ｍ１）に戻すことにより、図４（Ａ）に示されるように、回転操作部材３１の凸部３１ｂが操作滑動部３０の凹部３０ａの位置に配置され、両方の凹凸面が所定の間隔だけ離れるので、操作滑動部３０は前後に移動して先端把持部２４の開閉操作が可能な状態となる。
【００２５】
上記第１及び第２の実施例では、回転操作部材２６，３１を操作滑動部１８，３０の前側に配置したが、各実施例の操作滑動部１８，３０の外周側部分を基部から分離して回転可能に取り付け、この外周側回転部を回転操作部材として配置すると共に、各実施例の回転操作部材２６，３１を固定部として配置するようにしてもよい。これによれば、軸方向に移動する操作滑動部が回転操作部材としての機能も果たすことになり、外周側の回転操作部材の操作によって、移動規制解除状態と移動規制状態の操作・設定を行うことができる。
【図面の簡単な説明】
【００２６】
【図１】本発明の第１実施例に係る内視鏡用処置具の構成を示し、図（Ａ）は規制解除時の一部断面図、図（Ｂ）は規制時の一部断面図である。
【図２】第１実施例の操作滑動部及び回転操作部材を前側から見たもので（軸体切断状態）、図（Ａ）は規制解除時の図、図（Ｂ）は規制時の図である。
【図３】第１実施例の処置具の外観斜視図である。
【図４】第２実施例の内視鏡用処置具における操作滑動部及び回転操作部材の構成を示し、図（Ａ）は規制解除時の図、図（Ｂ）は規制時の図である。
【図５】第２実施例の処置具の外観斜視図である。
【図６】従来の内視鏡用処置具の２つの構成例を示す一部断面図である。
【符号の説明】
【００２７】
１，９，１４，２９…内視鏡用処置具、
２，１５…指掛け部、          ３，１６…軸体（本体）、
４，１８，３０…操作滑動部、  ５，２０…操作ワイヤ、
１６ａ…環状凸部、            １８ｂ，２８…通過穴、
２２…密着バネ、              ２６，３１…回転操作部材、
２６ａ…環状係合溝、          ２７…突起、
３０ｂ，３１ｂ…凸部、        Ｍ１，Ｍ２，Ｍ３…マーク。
【図１】
2009261609.tif 000003
【図２】
2009261609.tif 000004
【図３】
2009261609.tif 000005
【図４】
2009261609.tif 000006
【図５】
2009261609.tif 000007
【図６】
2009261609.tif 000008